(57)【要約】【課題】良好な収納性と良好な耐風圧性とを両立できる網戸用網シートを提供する。【解決手段】  網シート１は、織物から形成され、複数の経糸２及び複数の緯糸３の一方が延びる方向に沿って巻き取られる。網シート１においては、複数の経糸２及び複数の緯糸３の一方は、第１樹脂フィラメント１０から形成される。複数の経糸２及び複数の緯糸３の他方は、第２樹脂フィラメント２０から形成される。第２樹脂フィラメント２０は、芯部２１と、芯部２１より融点が低い鞘部２２とを有する芯鞘構造繊維から形成される。第１樹脂フィラメント１０は、鞘部２２より融点が高い樹脂材料から形成される。【選択図】図１
2020026690.tif 000002
【特許請求の範囲】
【請求項１】
織物から形成され、複数の経糸及び複数の緯糸の一方が延びる方向に沿って巻き取られる網戸用網シートであって、
前記複数の経糸及び前記複数の緯糸の前記一方は、第１樹脂フィラメントから形成され、
前記複数の経糸及び前記複数の緯糸の他方は、第２樹脂フィラメントから形成され、
前記第２樹脂フィラメントは、芯部と、前記芯部より融点が低い鞘部とを有する芯鞘構造繊維から形成され、
前記第１樹脂フィラメントは、前記鞘部より融点が高い樹脂材料から形成される、網戸用網シート。
【請求項２】
前記複数の経糸と前記複数の緯糸とは、各交差点において互いに熱融着されている、請求項１に記載の網戸用網シート。
【請求項３】
前記複数の経糸は、各々、複数の前記第１樹脂フィラメント、又は複数の前記第２樹脂フィラメントから形成されており、
前記複数の経糸と前記複数の緯糸との各交差点において、前記複数の第１樹脂フィラメントのうち隣り合う２本の第１樹脂フィラメントが、前記第２樹脂フィラメントを間に挟んでいるか、又は、前記複数の第２樹脂フィラメントのうち隣り合う２本の第２樹脂フィラメントが、前記第１樹脂フィラメントを間に挟んでいる、請求項１又は請求項２に記載の網戸用網シート。
【請求項４】
前記複数の経糸は、各々、３本の前記第２樹脂フィラメント又は３本の前記第１樹脂フィラメントから形成されており、
前記３本の第２樹脂フィラメントの太さが、各々２０〜１５０デニールであるか又は、前記３本の第１樹脂フィラメントの太さが、各々２０〜１５０デニールであり、
前記３本の第２樹脂フィラメントの合計太さ又は前記３本の第１樹脂フィラメントの合計太さは、６０〜４５０デニールである、請求項１〜請求項３のいずれか１項に記載の網戸用網シート。
【請求項５】
前記複数の緯糸は、各々、１本の前記第１樹脂フィラメント又は１本の前記第２樹脂フィラメントから形成されており、
前記１本の第１樹脂フィラメントの太さ又は前記１本の第２樹脂フィラメントの太さは、３０〜２５０デニールである、請求項４に記載の網戸用網シート。
【発明の詳細な説明】
【技術分野】
【０００１】
本発明は、防虫ネットなどの網シートをロール状に巻取可能に構成されるロール網戸に好適な網戸用網シートに関するものである。
【背景技術】
【０００２】
網シートをロール状に巻取可能に構成されるロール網戸として、特許文献１には、網シートを支持する網戸枠に、網シートの収納ケースが設けられているロール網戸が記載されている。特許文献１に記載のロール網戸においては、収納ケースは、網戸枠の側部に配置されており、網シートは、水平方向に沿って巻き取られる。
【先行技術文献】
【特許文献】
【０００３】
【特許文献１】特開２０１８−８０５３５号公報
【発明の概要】
【発明が解決しようとする課題】
【０００４】
しかしながら、特許文献１に記載のロール網戸においては、収納ケースが網戸枠に設けられることから、収納ケースは、コンパクトでないと、網戸枠から屋内側に突き出し、ロール網戸のデザイン性が低下する。収納ケースをコンパクトにするためには、嵩張らないように網シートを巻き取れることが必要であり、網シートは、巻取方向において、良好な可撓性を有することが必要である。
【０００５】
一方、網シートが、巻取方向において良好な可撓性を有し、柔軟であるときに、巻取方向に対し直交する方向においても、網シートが同様に柔軟であると、わずかの風圧によって網シートが容易に変形し、ロール網戸の外観が損なわれる。従って、巻取方向に対し直交する方向においては、網シートは、耐風圧性を高めるために、高剛性であることが好ましい。
【０００６】
本発明は上記課題に鑑みてなされたものであり、その目的は、良好な収納性と良好な耐風圧性とを両立できる網戸用網シートを提供することにある。
【課題を解決するための手段】
【０００７】
本願に開示する網戸用網シートは、織物から形成され、複数の経糸及び複数の緯糸の一方が延びる方向に沿って巻き取られる。当該網戸用網シートにおいては、前記複数の経糸及び前記複数の緯糸の前記一方は、第１樹脂フィラメントから形成される。前記複数の経糸及び前記複数の緯糸の他方は、第２樹脂フィラメントから形成される。前記第２樹脂フィラメントは、芯部と、前記芯部より融点が低い鞘部とを有する芯鞘構造繊維から形成される。前記第１樹脂フィラメントは、前記鞘部より融点が高い樹脂材料から形成される。
【０００８】
本願に開示する網戸用網シートにおいて、前記複数の経糸と前記複数の緯糸とは、各交差点において互いに熱融着されている。
【０００９】
本願に開示する網戸用網シートにおいて、前記複数の経糸は、各々、複数の前記第１樹脂フィラメント、又は複数の前記第２樹脂フィラメントから形成されている。前記複数の経糸と前記複数の緯糸との各交差点において、前記複数の第１樹脂フィラメントのうち隣り合う２つの第１樹脂フィラメントは、前記第２樹脂フィラメントを間に挟んでいる。又は、前記複数の第２樹脂フィラメントのうち隣り合う２つの第２樹脂フィラメントは、前記第１樹脂フィラメントを間に挟んでいる。
【００１０】
本願に開示する網戸用網シートにおいて、前記複数の経糸は、各々、３本の前記第２樹脂フィラメント又は３本の前記第１樹脂フィラメントから形成されている。前記３本の第２樹脂フィラメントの太さは、各々２０〜１５０デニールである。又は、前記３本の第１樹脂フィラメントの太さは、各々２０〜１５０デニールである。また、前記３本の第２樹脂フィラメントの合計太さ又は前記３本の第１樹脂フィラメントの合計太さは、６０〜４５０デニールである。
【００１１】
本願に開示する網戸用網シートにおいて、前記複数の緯糸は、各々、１本の前記第１樹脂フィラメント又は１本の前記第２樹脂フィラメントから形成されている。前記１本の第１樹脂フィラメントの太さ又は前記１本の第２樹脂フィラメントの太さは、３０〜２５０デニールである。
【発明の効果】
【００１２】
本発明の網戸用網シートによれば、良好な収納性と良好な耐風圧性とを両立できる。
【図面の簡単な説明】
【００１３】
【図１】実施形態に係る網戸用網シートを示す斜視図である。
【図２】実施形態に係る網戸用網シートを示す部分拡大図である。
【図３】実施形態に係る第２樹脂フィラメントを示す斜視図である。
【図４】他の実施形態に係る網戸用網シートを示す部分拡大図である。
【図５】複数の芯鞘構造繊維から形成されている第２樹脂フィラメントを示す斜視図である。
【発明を実施するための形態】
【００１４】
以下、本発明の実施形態に係る網戸用網シートを図面に基づいて詳しく説明する。なお、以下に説明する実施形態は、本発明を実施するのに好ましい具体例であるから、技術的に種々の限定がなされているが、本発明は、以下の説明において特に発明を限定する旨が明記されていない限り、この実施形態に限定されるものではない。
【００１５】
〈実施形態〉
［基本原理］
図１〜図３を参照して、本発明の実施形態に係る網戸用網シートの基本原理を説明する。図１は、実施形態に係る網戸用網シートを示す斜視図である。図２は、実施形態に係る網戸用網シートの部分拡大図である。図３は、実施形態に係る第２樹脂フィラメントを示す斜視図である。
【００１６】
図１、図２に示すように、実施形態に係る網シート１は、織物から形成され、複数の経糸２及び複数の緯糸３を有する。複数の経糸２は、一定の間隔を置いて平行に並んでおり、複数の緯糸３も、一定の間隔を置いて平行に並んでいる。網シート１は、複数の経糸２及び複数の緯糸３の一方が延びる方向に沿って巻き取られる。複数の経糸２及び複数の緯糸３の一方は、第１樹脂フィラメント１０から形成され、複数の経糸２及び複数の緯糸３の他方は、第２樹脂フィラメント２０から形成される。
【００１７】
実施形態における網シート１は、請求の範囲における網戸用網シートに対応しており、網シート１は、複数の経糸２及び複数の緯糸３のうち複数の緯糸３が延びる緯方向Ｘ１に沿って巻き取られる。従って、実施形態においては、複数の緯糸３が、第１樹脂フィラメント１０から形成され、複数の経糸２が、第２樹脂フィラメント２０から形成される。なお、実施形態においては、第１樹脂フィラメント１０はモノフィラメントであり、第２樹脂フィラメント２０もモノフィラメントである。
【００１８】
第２樹脂フィラメント２０は、図３に示すように、芯部２１と鞘部２２とを有する芯鞘構造繊維から形成される。鞘部２２の融点は、芯部２１の融点よりも低くなっている。実施形態においては、芯部２１は、比較的に高融点のポリエステルから形成され、融点Ｔ１は、約２５０℃である。また、鞘部２２は、比較的に低融点のポリエステルから形成され、融点Ｔ２は、１７０〜２１０℃である。
【００１９】
一方、第１樹脂フィラメント１０は、芯鞘構造繊維ではなく、一様な融点を有する。第１樹脂フィラメント１０の融点は、鞘部２２の融点よりも高い。実施形態においては、第１樹脂フィラメント１０は、ポリエステル繊維から形成されており、第１樹脂フィラメント１０の融点Ｔ４は、芯部２１の融点Ｔ１と同程度である。
【００２０】
以上、図１〜図３を参照して説明したように、実施形態に係る網シート１によれば、網シート１は、複数の経糸２及び複数の緯糸３のうち複数の緯糸３が延びる緯方向Ｘ１に沿って巻き取られる。複数の緯糸３は、第１樹脂フィラメント１０から形成され、複数の経糸２は、第２樹脂フィラメント２０から形成される。第２樹脂フィラメント２０は、芯部２１と鞘部２２とを有する芯鞘構造繊維から形成され、鞘部２２の融点Ｔ２は、芯部２１の融点Ｔ１よりも低い。また、第１樹脂フィラメント１０は、鞘部２２より融点が高い樹脂材料から形成される。
【００２１】
以上のとおり、複数の経糸２が芯鞘構造繊維から形成されることから、網シート１を所定温度Ｔ３まで加熱することによって、複数の経糸２の剛性を大きくできる。所定温度Ｔ３は、芯部２１の融点Ｔ１より低く、鞘部２２の融点Ｔ２より高い温度である。網シート１を所定温度Ｔ３まで加熱すると、鞘部２２が溶融し、複数の経糸２は、鞘部２２をマトリックスとし、芯部２１を強化材とする繊維強化プラスチックに形成される。従って、複数の経糸２の剛性を大きくでき、経方向Ｘ２において網シート１の剛性を大きくでき、網シート１に良好な耐風圧性を付与できる。
【００２２】
一方、複数の緯糸３は、鞘部２２よりも融点が高い第１樹脂フィラメント１０から形成される。複数の緯糸３の融点が鞘部２２より高いことから、網シート１を所定温度Ｔ３まで加熱しても、複数の緯糸３は溶融せず、元の第１樹脂フィラメント１０に備わる柔軟性は維持される。従って、網シート１が巻き取られる緯方向Ｘ１においては、網シート１に良好な可撓性を付与することができ、網シート１に良好な収納性を付与することができる。以上によって、網シート１において、良好な収納性と良好な耐風圧性とを両立できる。
【００２３】
なお、実施形態においては、網シート１が、ロール網戸において、水平方向に沿って巻き取られること、いわゆる横引網戸用ネットとして使用されることを想定し、複数の緯糸３を可撓性の良好な第１樹脂フィラメント１０から形成し、複数の経糸２を加熱加工によって高剛性化できる第２樹脂フィラメント２０から形成している。ロール網戸が、例えばベランダの出入り口に設置されるとき、網シート１は上下方向に長くなり、水平方向に短くなる。例えば、上下方向の長さとしては、最大で２８００〜３０００ミリメートル程度の長さが必要であるが、水平方向の長さは、１５００ミリメートル程度で十分である。
【００２４】
一方、織物は、緯方向が大きいものほど高価である。防虫ネットも同様であり、網シート１は、緯方向Ｘ１に短い方が、製造コストを低減できる。従って、網シート１が水平方向に沿って巻き取られるとき、複数の緯糸３に可撓性の良好な第１樹脂フィラメント１０を使用することによって、ロール網戸における水平方向を網シート１における緯方向Ｘ１に一致させることができ、網シート１の製造コストを低減できる。なお、網シート１は、ロール網戸において、上方向に巻き取られること、いわゆる縦引網戸用ネットとして使用されることも当然に可能である。網シート１が縦引網戸用ネットとして使用されるとき、網シート１において第１樹脂フィラメント１０が延びる方向がロール網戸における上下方向に一致される。
【００２５】
また、図１〜図３を参照して説明したように、実施形態に係る網シート１によれば、第１樹脂フィラメント１０、第２樹脂フィラメント２０が、モノフィラメントから形成されることから、網シート１の外観を向上できる。マルチフィラメントは複数の繊維を撚り合わせたものであり、モノフィラメントと比較すると表面の凹凸が大きい。従って、マルチフィラメントから網シート１を形成すると、網シート１の外観は低下する。反対に、網シート１をモノフィラメントから形成すると、網シート１にクリアな外観を付与することができ、網シート１の高級感を向上できる。
【００２６】
次に、図２、図３を参照して、実施形態に係る網シート１を更に詳しく説明する。実施形態においては、複数の経糸２と複数の緯糸３とは、各交差点４において互いに熱融着されている。上述したとおり、第２樹脂フィラメント２０は、芯部２１と、融点の低い鞘部２２とを有している。従って、鞘部２２が溶融する所定温度Ｔ３まで網シート１を加熱することによって、各交差点４において、複数の経糸２と複数の緯糸３とを熱融着できる。
【００２７】
以上、図２、図３を参照して説明したように、実施形態に係る網シート１によれば、複数の経糸２と複数の緯糸３とが各交差点４において熱融着されている。従って、外力によって各交差点４の位置がずれることを防止でき、網シート１の良好な外観を長期間にわたって維持できる。また、第２樹脂フィラメント２０においては、鞘部２２が溶融し、鞘部２２が第１樹脂フィラメント１０と形状的に融合されることから、各交差点４において網シート１の厚みが大きくなることを抑制でき、網シート１における凹凸を小さくでき、網シート１の手触り及び外観を向上できる。また、各交差点４において、経糸２と緯糸３との間に埃などの異物が挟まり、網シート１に異物が付着することを防止できる。その結果、網シート１が汚れ難くなり、メンテナンス性が向上し、網シート１の良好な外観を長期間にわたって維持できる。
【００２８】
なお、複数の経糸２と複数の緯糸３とを熱融着するとき、熱融着のための加熱工程は、製織工程の一環として、網シート１を織機上から移動させずに織機上で行うことが好ましい。加熱工程を織機上で行うことによって、熱融着前に網シート１を移動させる必要がなく、熱融着前に各交差点４がずれることを防止でき、網シート１の外観を向上できる。しかしながら、熱融着のための加熱工程は、各交差点４のずれを有効に防止することが可能であれば、製織工程と別工程で行ってもよい。
【００２９】
次に、図２を参照して、複数の経糸２について、更に詳しく説明する。複数の経糸２は、各々、複数の第１樹脂フィラメント１０、又は複数の第２樹脂フィラメント２０から形成されている。複数の経糸２が複数の第１樹脂フィラメント１０から形成されるとき、複数の第１樹脂フィラメント１０は、互いに重ならず、且つ隙間ができないように、緯方向Ｘ１に並べられる。複数の経糸２が複数の第２樹脂フィラメント２０から形成されるときも同様である。なお、実施形態においては、図２に示すように、複数の経糸２は、各々、芯鞘構造繊維である３本の第２樹脂フィラメント２０から形成され、複数の緯糸３は、各々、１本の第１樹脂フィラメント１０から形成される。また、実施形態においては、複数の経糸２が、各々、複数の第２樹脂フィラメント２０から形成されているとき、各交差点４において、複数の第２樹脂フィラメント２０のうち隣り合う２本の第２樹脂フィラメント２０は、第１樹脂フィラメント１０を間に挟んでいる。
【００３０】
以上、図２を参照して説明したように、実施形態によれば、各交差点４において、隣り合う２本の第２樹脂フィラメント２０が第１樹脂フィラメント１０を間に挟んでいる。従って、各交差点４の位置がずれ難くなり、熱融着前に各交差点４の位置がずれることを防止でき、網シート１の外観を向上できる。
【００３１】
なお、複数の経糸２が、各々、複数の第１樹脂フィラメント１０によって形成される場合は、隣り合う２本の第１樹脂フィラメント１０が第２樹脂フィラメント２０を間に挟むこととなる。この場合にも、同様に、各交差点４の位置がずれ難くなり、熱融着前に各交差点４の位置がずれることを防止でき、網シート１の外観を向上できる。しかしながら、上述したとおり、網シート１が水平方向に沿って巻き取られるとき、経方向Ｘ２において網シート１を高剛性にできることがコスト的に好ましく、複数の経糸２の各々を芯鞘構造繊維である複数の第２樹脂フィラメント２０から形成することによって、網シート１の製造コストを低減できる。
【００３２】
以下、第１樹脂フィラメント１０及び第２樹脂フィラメント２０の好ましいサイズについて説明する。上述したとおり、実施形態においては、経糸２の剛性を大きくする必要があることから、基本的には、経糸２は、緯糸３より太いことが好ましい。
【００３３】
すなわち、複数の経糸２が、各々３本の第２樹脂フィラメント２０から形成されるとき、第２樹脂フィラメント２０の太さＬ１は、２０〜１５０デニールであることが好ましく、３０〜１４０デニールであることがより好ましく、５０〜１２０デニールであることが更に好ましい。また、３本の第２樹脂フィラメント２０の合計太さＬ２は、６０〜４５０デニールであることが好ましく、１２０〜４２０デニールであることがより好ましく、１５０〜３６０デニールであることが更に好ましい。なお、複数の経糸２が、各々３本の第１樹脂フィラメント１０から形成されるときにも、第１樹脂フィラメント１０の好ましい太さの範囲、及び３本の第１樹脂フィラメント１０の好ましい合計太さの範囲は、上記範囲に一致する。
【００３４】
また、複数の緯糸３が、各々１本の第１樹脂フィラメント１０から形成されるとき、第１樹脂フィラメント１０の太さＬ３は、３０〜２５０デニールであることが好ましく、４０〜２００デニールであることがより好ましく、５０〜１５０デニールであることが更に好ましい。なお、複数の緯糸３が、各々１本の第２樹脂フィラメント２０から形成されるときにも、第２樹脂フィラメント２０の好ましい太さの範囲は、上記範囲に一致する。
【００３５】
太さＬ１、合計太さＬ２、太さＬ３を上記範囲に設定することによって、網シート１における通気性を向上でき、換気性を向上できる。特に、防虫性能を良好にするために、網シート１における目の大きさを２４メッシュ程度としたときに、太さＬ１、合計太さＬ２、太さＬ３を上記範囲に設定することによって、網シート１を透かして見る際の視認性が良好となり、眺望性を向上できる。
【００３６】
また、第１樹脂フィラメント１０、第２樹脂フィラメント２０は、各交差点４において熱融着されることから、染料が練り込まれた樹脂材料から形成されることが好ましく、第２樹脂フィラメント２０においては、芯部２１と鞘部２２とがともに、染料が練り込まれた樹脂材料から形成されることが好ましい。
【００３７】
また、第１樹脂フィラメント１０、第２樹脂フィラメント２０は、耐光性を高めるために、耐光剤を含むことが好ましく、耐候性、耐風圧性を高めるために、例えばディッピングによって、被覆されることも好ましい。網シート１を被覆する材料としては、アクリル、ポリエステル、メラミンが好ましく、臭気を発しない点でアクリル、ポリエステルがより好ましい。
【００３８】
次に、図４を参照して、本発明に係る他の実施形態を説明する。図４は、他の実施形態に係る網シート１Ａの部分拡大図である。上述した実施形態においては、網シート１が水平方向に沿って巻き取られることを想定し、製造コスト低減のために、複数の経糸２を第２樹脂フィラメント２０から形成したが、本実施形態においては、網シート１Ａが上方向に巻き取られるものとし、複数の経糸２Ａを第１樹脂フィラメント１０から形成するとともに、収納性の更なる向上のために、複数の経糸２Ａを各々朱子織としている。なお、本発明に係る網シートが巻き取られる方向は、特に限定されない。従って、本実施形態に係る網シート１Ａは、水平方向に巻き取られてもよい。
【００３９】
網シート１Ａが上方向に巻き取られるとき、収納性向上のためには、ロール網戸における上下方向と第１樹脂フィラメント１０が延びる方向とを一致させる必要がある。つまり、収納性向上のためには、上下方向と経方向Ｘ２とを一致させる必要がある。従って、網シート１Ａが上方向に巻き取られるとき、複数の経糸２Ａを第１樹脂フィラメント１０から形成することによって、良好な収納性を実現できる。
【００４０】
また、複数の緯糸３Ａを第２樹脂フィラメント２０から形成することによって、熱加工によって複数の緯糸３Ａを高剛性化でき、良好な収納性と良好な耐風圧性とを実現できる。すなわち、網シ−ト１Ａが、上方向に巻き取られるとき、経方向Ｘ２の収納性向上のためには、複数の経糸２Ａが、第１樹脂フィラメント１０から形成され、同時に、緯方向Ｘ１の高剛性を実現するためには、複数の緯糸３Ａが、芯鞘構造繊維である第２樹脂フィラメント２０から形成される必要がある。
【００４１】
また、上述した実施形態においては、複数の経糸２が各々３本の第２樹脂フィラメント２０から形成されたが、本実施形態においては、複数の経糸２Ａは、各々、５本の第１樹脂フィラメント１０から形成される。網シート１Ａは、朱子織にされており、各交差点４において、５本の第１樹脂フィラメント１０のうち１本の第１樹脂フィラメント１０だけが、網シート１Ａにおける一方の面側に位置し、他の４本の第１樹脂フィラメント１０は、各交差点４において、網シート１Ａにおける他方の面側に位置している。網シート１Ａにおける一方の面側とは、図４の紙面における裏面側であり、網シート１Ａにおける他方の面側とは、図４の紙面における表面側である。
【００４２】
以上のとおり、網シート１Ａが朱子織にされることによって、網シート１Ａを巻き取るとき、網シート１Ａにおける一方の面を内側面とし他方の面を外側面とすると、巻き取りやすくなり、更なる収納性の向上が期待できる。網シート１Ａにおける一方の面側には、１本の第１樹脂フィラメント１０だけしか配されていないために、当該一方の面を内側面として網シート１Ａを巻き取ると、曲げるべき第１樹脂フィラメント１０の本数は少なくなり、巻き取りやすくなるからである。
【００４３】
以上、図面（図１〜図４）を参照しながら本発明の実施形態を説明した。但し、本発明は、上記の実施形態に限られるものではなく、その要旨を逸脱しない範囲で種々の態様において実施することが可能である（例えば、下記に示す（１）〜（２））。
【００４４】
（１）図１〜図４を参照して説明したように、上記各実施形態では、第１樹脂フィラメント１０、第２樹脂フィラメント２０がモノフィラメントから形成されるものとしたが、第１樹脂フィラメント１０、第２樹脂フィラメント２０はマルチフィラメントから形成されてもよい。しかしながら、上述したとおり、良好な外観を得るためには、第１樹脂フィラメント１０、第２樹脂フィラメント２０は、モノフィラメントから形成することが好ましく、特に第１樹脂フィラメント１０は、モノフィラメントであることが好ましい。なお、第２樹脂フィラメント２０については、第２樹脂フィラメント２０を複数の芯鞘構造繊維から形成しても、良好な外観を得ることは可能である。しかしながら、その場合にも、複数の芯鞘構造繊維が熱加工により融合し、１本の糸の如く見えるようにモノフィラメントを形成していることが好ましい。
【００４５】
図５は、複数の芯鞘構造繊維を材料として形成される第２樹脂フィラメント２０Ａを示す斜視図である。図５に示すように、第２樹脂フィラメント２０Ａは、複数の芯部２１Ａと、１つの鞘部２２Ａとを有している。第２樹脂フィラメント２０Ａは、芯部２１Ａの本数に対応する本数の芯鞘構造繊維を材料として形成されるものであり、１つの鞘部２２Ａは、複数の芯鞘構造繊維における各鞘部が熱加工により融合し、複数の芯鞘構造繊維は、モノフィラメントを形成している。
【００４６】
複数の芯鞘構造繊維における各鞘部が熱加工により融合することによって、第２樹脂フィラメント２０Ａは、繊維間の隙間がなく、１本の芯鞘構造繊維から形成される第２樹脂フィラメント２０と同様に、異物の付着を抑制でき、メンテナンス性が向上され、良好な外観を維持できる。また、鞘部２２Ａは、複数の芯鞘構造繊維における各鞘部の熱融着によって形成されることから、更に高剛性にでき、更に耐風圧性を向上させることもできる。
【００４７】
（２）図１〜図５を参照して説明したように、上記各実施形態では、第１樹脂フィラメント１０、第２樹脂フィラメント２０は、ポリエステルから形成されたが、これに限られず、第１樹脂フィラメント１０、第２樹脂フィラメント２０は、ポリプロピレン、ポリエチレン、又はビニロンから形成することもできる。ポリプロピレン、ポリエチレン、ビニロンは、ポリエステルと同様に、第１樹脂フィラメント１０、第２樹脂フィラメント２０に使用したとき、良好な収納性と良好な耐風圧性とを両立できると考えられる。
【符号の説明】
【００４８】
１、１Ａ…網シート
２、２Ａ…経糸
３、３Ａ…緯糸
４…交差点
１０…第１樹脂フィラメント
２０、２０Ａ…第２樹脂フィラメント
２１、２１Ａ…芯部
２２、２２Ａ…鞘部
Ｔ１…芯部の融点
Ｔ２…鞘部の融点
Ｔ３…所定温度
Ｔ４…第１樹脂フィラメントの融点
Ｌ１…第２樹脂フィラメントの太さ
Ｌ２…３本の第２樹脂フィラメントの合計太さ
Ｌ３…第１樹脂フィラメントの太さ
Ｘ１…緯方向
Ｘ２…経方向
【図１】
2020026690.tif 000003
【図２】
2020026690.tif 000004
【図３】
2020026690.tif 000005
【図４】
2020026690.tif 000006
【図５】
2020026690.tif 000007